(57)【特許請求の範囲】
【請求項１】
下框にレールに弾性的に密着する気密部材を備えた引戸を引違い式に建て付けた玄関サッシにおいて、
前記引戸が閉鎖位置にある時の前記引戸の召合せ框の下方におけるサッシ下枠のレール間の上面に、各引戸の閉鎖時移動方向に上り傾斜するスロープを両側に、両スロープの間に両スロープの頂に連続する水平な頂面を有するガイド板を取付けるとともに、前記レールに弾力的に密着する気密片と、引戸閉鎖時に前記ガイド板のスロープに案内されて前記水平な頂面に乗り上げる突起とを有する塞ぎ材を前記召合せ框の下端に取付けてなる玄関サッシの密封装置。
【発明の詳細な説明】
【０００１】
【発明の属する技術分野】
本発明は、風除室に設けた玄関サッシの密封装置、とくに引戸を引違い式に建て付けた玄関サッシの密封装置に関する。
【０００２】
【従来の技術】
風雪の多い寒冷地では、帰宅時に玄関から直ちに屋内に入る前に、衣服や帽子などに付着した雪や雨を払い除けるための風除室が玄関に設けられる例が少なくない。風除室は、本屋に設けられた内玄関から屋外側に突設されて外玄関となり、これに玄関サッシが取付けられる。従って、玄関サッシには低温の風雪雨が強く吹き付けるので、非寒冷地とは比較にならない程の高い密封性が要求される。
【０００３】
玄関ドアは、その要求に充分に応えることは容易であるが、引違い戸を建付ける従来の玄関サッシには、種々の問題がある。これについて、図７及び図８を参照して説明する。図７は従来の玄関サッシの縦断面図、図８は同じく横断面図である。
引違い戸４，５は、閉鎖時は上框６１  ，６２  及び縦框１３１  ，１３２  がサッシ上枠８のレール溝９１  ，９２  及びサッシ縦枠１０，１１の凹溝にモヘアなど１２１  ，１２２  を介して嵌合され、また、両召合わせ框１８１  ，１８２  の間はクレセント錠（図示省略）の引き込みに伴うモヘア１９１  ，１９２  の密着により、さらに、下框１４１  ，１４２  にはフィン状の気密部材１５１  ，１５２  がサッシ下枠１６のレール１７１  ，１７２  方向に突設されてその気密部材がレールに弾力的に押圧されているので、引戸の上框６１  ，６２  とサッシの上枠８との間及び引戸の縦框１３１  ，１３２  とサッシ縦枠１０，１１との間、引戸の召合せ框１８１  ，１８２  同志の間、及び引戸の下框１４１  ，１４２  とサッシ下枠１６との間には相当程度の密封性が確保される。
【０００４】
【発明が解決しようとする課題】
しかしながら、一般的に、引戸は上下框の長手方向両端部を縦框及び召合せ框の対向面の上下端部に当接した形態で結合した框組みを用いているため、縦框と召合せ框の下端部には、従来は、何等の密封手段が備えられていない。従って、内外引戸の召合せ框の下端部とサッシ下枠との間に、屋外から屋内まで貫通する隙間が形成されることとなり、この隙間が従来の玄関サッシの密封性を低くする原因となっていた。そのため、その隙間に浸入した雨水又は雪解け水が凍結して、引戸の開閉が不可能になる事態がしばしば起こっていた。
また、風除室は、建物躯体に突設されることから、強度が比較的小さいため、台風時などの風圧や豪雪時の荷重などによって、風除室の表玄関のサッシ枠は内玄関サッシよりも歪みが生じ易いところがあり、そのため、閉鎖時の引違い戸の召合せ框の位置が内外完全一致にはならず、多少のずれが生じて、クレセント錠の施錠が困難になったり、召合せ部の外観体裁が見苦しくなったり、さらには、召合せ部の密封性が低下するなどの問題があった。
【０００５】
なお、玄関サッシには、一般的に屋内側に網戸２５を建て付ける。このため、従来の玄関サッシは、上枠８と下枠１６に網戸保持部２４ａ，２４ｂを屋内方向に延長するばかりでなく、縦枠１０，１１にも網戸保持部２４ｃ，２４ｄを屋内方向に延長させている。そのため、玄関サッシのとくに出入り口の外周の見込み寸法が大きくなり、元来狭隘に作られる風除室の正面に用いるサッシが仰々しく見えるという問題があった。さらに、下枠の網戸保持部は溝状に形成され、その底面は平坦で、ほぼ中央にレールが突出しているため、下枠の網戸保持部に入り込んだ雨水や雪溶け水あるいは堅く押し込まれた雪などの排除が容易にできないという問題もあった。
【０００６】
本発明は、上記の点に鑑みてなされたものであり、その課題は、閉鎖時においては、召合せ框の下端とサッシ下枠との間及び召合せ部に高い密封性が確保され、かつ、召合せ部の外観体裁の悪化が防止されるようにすることにある。
【０００７】
【課題を解決するための手段】
本発明に係る玄関サッシの密封装置は、上記の課題を解決するため、下框にレールに弾性的に密着する気密部材を備えた引戸を引違い式に建て付けた玄関サッシにおいて、前記引戸が閉鎖位置にある時の前記引戸の召合せ框の下方におけるサッシ下枠のレール間の上面に、各引戸の閉鎖時移動方向に上り傾斜するスロープを両側に、両スロープの間に両スロープの頂に連続する水平な頂面を有するガイド板を取付けるとともに、前記レールに弾力的に密着する気密片と、引戸閉鎖時に前記ガイド板のスロープに案内されて前記水平な頂面に乗り上げる突起とを有する塞ぎ材を前記召合せ框の下端に取付けてなることを特徴としている。
上記構成により、引戸を閉鎖すると、閉位置到達直前に召合せ框の塞ぎ材の突起がガイド板のスロープに案内されて閉位置到達時には突起がガイド板の水平な頂面に乗り上げ、両召合せ框がサッシ下枠の上面から等しい高さにおいて内外位置が完全に合致される。従って、召合わせ部に高い密封性が確保されるとともに、召合せ部の外観が悪化することがない。また、各引戸の下框の気密部材と塞ぎ材の気密片が連続してサッシ下枠のレールに弾力的に密着するので、下框とレールの間のみならず召合せ框の下端とレールの間にも高い密封性が確保される。
【０００８】
【発明の実施の形態】
次に、本発明の実施の形態について、図面に基づいて説明する。
図１は玄関サッシを設けた風除室の斜視図、図２はその玄関サッシの縦断面図、図３は同じく横断面図、図４はガイド板とその取り付け状態を説明する分解斜視図、図５は図２の要部の拡大図、図６は塞ぎ材とその取付け構造を示す分解斜視図である。図７及び図８に示された従来技術と同一又は相当する部材には同一符号を用いる。
【０００９】
風除室１の正面に取付けられた玄関サッシ２は、上部に欄間３を有し、その欄間の下側に引違い戸４，５を建て付けてある。欄間３は、ガラス板３ａが嵌め殺しにより取付けられていて、完全な密封性を有している。
そして、各引戸４，５は、上框６１  ，６２  に取付けられたモヘヤ７１  ，７２  がサッシ上枠（無目）８のレール溝９１  ，９２  の内壁に当接して、サッシ縦枠１０，１１の凹溝１０ａ，１１ａに取付けてあるモヘア１２１  ，１２２  が閉鎖時の縦框１３１  ，１３２  に当接して、また、下框１４１  ，１４２  に取付けてあるフィン状の気密部材１５１  ，１５２  がサッシ下枠１６のレール１７１１  ，１７２  に密着し、さらに、召合せ框１８１  ，１８２  の互いに対向する面に取付けられたモヘア１９１  ，１９２  が互いに他の召合せ框１８２  ，１８１  に当接することにより、引戸の上框６１  ，６２  とサッシ上枠８の間、引戸の縦框１３１  ，１３２  とサッシ縦枠１０，１１との間、引戸の下框１４１  ，１４２  とサッシ下枠１６との間にそれぞれ密封性が確保されるようにしてある。以上の構成は、従来の玄関サッシと同一である。
【００１０】
本発明においては、図４及び図５に示すように、サッシ下枠１６の上面のレール１７１  ，１７２  間の、閉鎖状態の引戸の召合せ框１８１  ，１８２  の下方となる位置に、ガイド板２０が固着手段、一例としてねじ２１により取付けてある。このガイド板２０は、所要の強度、耐衝撃性及び耐摩耗性を備えるため、矩形の薄いスチール板を屈曲加工して形成されていたものを使用することが好ましい。しかし、材質はとくに限定されない。そして、引戸４，５の移動方向に沿って両側に、それぞれの引戸の閉鎖時移動方向に上り傾斜するスロープ２０ａを有し、両スロープの間に、各スロープの頂に連続し、水平に伸びる頂面２０ｂを有している。
【００１１】
また、本発明においては、図５及び図６に示すように、両召合せ框１８（１８１  ，１８２  ）の下端に、塞ぎ材２２（２２１  ，２２２  ）が嵌合され、召合せ框１８（１８１  ，１８２  ）の側面からねじ込まれるねじ２３で固定されている。
塞ぎ材２２は、図６に明示されているように、上半部はほぼ角筒状に成形され、下半部は断面下方開口コ字形に形成されていて、内外両側壁２２ａ，２２ｂは、塞ぎ材の上端から下端まで一枚状に連続している。そして、内外両側壁の下半部の内側面には水平に延長し、かつ、互いに対向する方向に突出するフィン状の気密片２２ｃが複数段設けられている。さらに、内外両側壁の下端面の長手方向ほぼ中央に下方に僅かに突出する突起２２ｄが設けられている。
【００１２】
塞ぎ材２２の召合せ框１８に対する取付け位置は、塞ぎ材２２を召合せ框１８の中空部の下端に嵌合してねじ２３により固定した時は、図５に示されているように、突起２２ｄがその召合せ框１８の下端面よりも下方に突出するように設定されている。
図示の好ましい実施例では、内外の両召合せ框１８１  ，１８２  に取付けられる塞ぎ材２２が同一形状に形成されている。そのため、管理手間がかからないとともに、互いに反対向きに召合せ框に取付けられても、いずれか一方の突起２２ｄが、二つのレール１７１  ，１７２  の間に存在するようになっている。
【００１３】
上記のように塞ぎ材２２１  ，２２２  をそれぞれ取付けた引戸４，５をサッシ枠２に建て付けた時は、召合せ框１８１  ，１８２  の気密片２２ｃがサッシ下枠１６のレール１７１  ，１７２  にその両側面から弾力的に密着する。
また、引戸４，５を閉鎖方向に移動すると、各引戸が閉鎖位置に到達する直前に塞ぎ材２２１  ，２２２  の突起２２ｄがガイド板２０の互いに反対側のスロープ２２ａに接触しこれに案内されて、引続き頂面２２ｂに滑らかに乗り上げることができ、その頂面に乗り上げた時に引戸が閉鎖位置に到達する。そして、ガイド板２０の頂面２０ｂは水平であるので、両引戸の召合せ框１８１  ，１８２  は下枠１６の上面から完全に等しい高さに維持されるので、内外の召合せ框１８１  ，１８２  が所定閉鎖位置において垂直状態で完全に合致する。
従って、仮にサッシ枠に歪みが生じているとしても、閉鎖時の召合せ部の外観体裁が悪くなることが防止され、また、閉鎖時の両引戸の召合せ框の下端とサッシ下枠のレールとの間は、塞ぎ材の気密片２２ｃにより密封されるので、サッシ下枠１６と引戸４，５の下端との間は、気密部材１５１  ，１５２  と気密片２２ｃにより、サッシ下枠の全長に渡って中断されることなく完全に密封されるので、玄関サッシの密封度が格段に高いものとなった。
【００１４】
さらに、本発明の好ましい実施例では、図２及び図３に示すように、網戸保持部２４Ａ，２４Ｂは、サッシ下枠１６と上枠８の屋内側にのみ延設され、縦枠には網戸保持部が形成されていない。そして、上枠８の網戸保持部２４Ａと下枠の網戸保持部２４Ｂの長手方向端部に、各網戸保持部に形成してあるレールに沿って移動される網戸２５に当たってこれを止める戸当たり部材２６Ａ，２６Ｂをねじで固定してある。
２７１  ，２７２  は、サッシ下枠１６の引戸保持部の上面に固定してある引戸４，５のための戸当たり部材であり、各戸当たり部材とレール１７１  ，１７２  の端部の間に排水用切欠２８１  ，２８２  が設けてある。
下枠１６の網戸保持部２４ｂは、網戸レール２９を含む屋内側半分が底上げ状態に高い位置に形成され、網戸レール２９よりも屋外側半分がなだらかに引戸保持部の底面と同じ面まで低くなるように形成されているので、箒の先端が入り込み易くなったので、下枠１６の上面、とくに網戸保持部２４Ｂの上面に雨や雪が入り込んだ場合にこれを下枠の上面に沿って排水用切欠２８２  ，２８１  から容易に掃き出すことができる。
【００１５】
下枠側の網戸用戸当たり部材２６Ｂは、図４に示すように、サッシ下枠１６の網戸保持部２４Ｂの長手方向端面に密着させ、ねじ３０を下枠１６に形成してあるビスホール３１にねじ込むことにより取付けてあり、好ましくは、戸当たり部材２６Ｂのサッシ下枠の端面に密着する面に水密性能を良くするためのフィルムを張り付け、又はシール材を塗布してあり、それにより、網戸保持部２４Ｂに入り込んだ雨水又は雪溶け水の漏出を防止するようにしてある。
【００１６】
上記のようにして、図示の実施例は、縦枠１１の見込み寸法が、従来の玄関サッシの網戸保持部がなくなった分だけ小さくなったので、図示の風除室用玄関サッシは看者に一見してスリムな印象を与える。
【００１７】
【発明の効果】
上述のように、本発明によれば、引戸を閉鎖した時は、両引戸の召合せ框が下枠の上面から完全に等しい高さに維持され、内外の召合せ框が所定閉鎖位置において垂直状態で完全に合致するので、サッシ枠に歪みが生じているとしても、閉鎖時の召合せ部の外観体裁が悪くなることが防止され、また、閉鎖時の両引戸の召合せ框の下端とサッシ下枠のレールとの間は、塞ぎ材の気密片により密封されるので、サッシ下枠と両引戸の下端との間は、気密部材と気密片により、サッシ下枠の全長に渡って中断されることなく完全に密封されるので、玄関サッシの密封度が格段に高いものとなった。
【図面の簡単な説明】
【図１】本発明に係る玄関サッシが取付けられた風除室の斜視図。
【図２】玄関サッシの縦断面図。
【図３】同じく横断面図。
【図４】ガイド板がサッシ下枠の上面に取付けらる状態を示す分解斜視図。
【図５】本発明の要部を示す召合せ框部分の縦断面図。
【図６】塞ぎ材の取付けを説明する分解斜視図。
【図７】従来の玄関サッシの縦断面図。
【図８】
同じく横断面図。
【符号の説明】
１            風除室
２            玄関サッシ
４，５        引戸
６１  ，６２        サッシ上框
８            サッシ上枠
９１  ，９２        上枠のレール溝
１０，１１    サッシ縦枠
１３１  ，１３２    縦框
１４１  ，１４２    下框
１５１  ，１５２    気密部材
１６          サッシ下枠
１７１  ，１７２    引戸レール
１８１  ，１８２    召合わせ框
２０          ガイド板
２０ａ        スロープ
２０ｂ        頂面
２２          塞ぎ材
２２ｃ        気密片
２２ｄ        突起
【図１】
0003542536.tif 000002
【図２】
0003542536.tif 000003
【図３】
0003542536.tif 000004
【図４】
0003542536.tif 000005
【図５】
0003542536.tif 000006
【図６】
0003542536.tif 000007
【図７】
0003542536.tif 000008
【図８】
0003542536.tif 000009